(57)【特許請求の範囲】
【請求項１】
各自異なる錠剤を内装する錠剤カセットが設置される錠剤カセット受け台が一方面に形成され、反対面には錠剤カセットの各垂直配列ラインに沿って錠剤カセットから排出される錠剤を包装装置部に案内する錠剤排出部が各々形成されている一対の錠剤カセット配列板から構成される設置台を有する錠剤自動分配包装装置において、
前記一対の錠剤カセット配列板の中、一方の錠剤カセット配列板は、各設置台に結合固定されるのだが、もう一方の錠剤カセット配列板と締結結合されることのできる締結手段を具備し、前記もう一方の錠剤カセット配列板は、縦方向に多数区画され、区画された錠剤カセット配列板ごとに締結手段を具備し、設置台に結合固定されている前記一方の錠剤カセット配列板に具備された締結手段と各々個別的に締結結合されるようにしたことを特徴とする錠剤自動分配包装装置の錠剤カセット配列板。
【請求項２】
前記錠剤カセット配列板の背面上に突出して形成された接面部同士を当接する時、前記接面部の間で一方の面が解放された“⊃”形断面に形成される各々の前記錠剤排出部が、お互い向い合うようにして結合されることによって、長い溝筒形状の錠剤排出通路が形成されるように構成したことを特徴とする請求項１に記載の錠剤自動分配包装装置の錠剤カセット配列板。
【請求項３】
前記他側錠剤カセット配列板に具備された締結手段の中、区画された錠剤カセット配列板に設置され、着脱される締結手段の一側にストッパーを更に具備することを特徴とする請求項１に記載の錠剤自動分配包装装置の錠剤カセット配列板。
【請求項４】
前記一側錠剤カセット配列板の背面上部に形成された雌連結具と、区画された他側錠剤カセット配列板の背面上部に、前記雌連結具と一対に結合されるように形成された雄連結具とから成った上部締結手段を更に具備することを特徴とする請求項１〜３のいずれか１項に記載の錠剤自動分配包装装置の錠剤カセット配列板。
【発明の詳細な説明】
【技術分野】
【０００１】
本発明は、錠剤自動分配包装装置の錠剤カセット配列板に関するもので、より詳細には、錠剤カセット配列板に装着される多数の錠剤カセットから排出される錠剤を包装装置に案内する錠剤排出通路の掃除が容易であり、維持補修が効率的に成されるように構成した錠剤自動分配包装装置の錠剤カセット配列板に関するものである。
【背景技術】
【０００２】
一般的に、錠剤自動分配包装装置は、患者の各種疾病によって処方された錠剤を自動的に選別して一回分ずつ自動的に包装するようにしたもので、多様な錠剤を各々内装した多数の錠剤カセットが、錠剤カセット配列板に均一に配列設置され、前記錠剤カセット配列板に設置された錠剤カセットが各々断続制御され、一回分ずつ処方された錠剤が錠剤カセット配列板の背面に形成された多数の錠剤排出通路を介して下側に具備されたホッパーに案内され、ホッパーの下端部に設置された包装装置に流入され密封包装できるようにする装置である。
【０００３】
前記のような目的を有する錠剤自動分配包装装置が多様に開発され実用化されているところ、特許文献１の“錠剤自動分配装置の錠剤カセット配列設置台構造”では、本体１００の正面に錠剤カセット１０２が装着され配列設置され、設置された錠剤カセット１０２の各垂直配列ラインに沿って、錠剤カセット１０２から排出される錠剤を包装装置１０８に案内する錠剤落下上下通路１０６を具備する固定設置台１０４と、固定設置台１０４の前面に、本体１００に正面両側に開閉式に結合され、正面とその背面に錠剤カセット１０２が装着配列設置される前面部開閉設置台１１０aと背面部開閉設置台１１０bとが構成され、前記開閉設置台１１２は、錠剤案内通路手段を中心に前面部開閉設置台１１０aと背面部開閉設置台１１０bが分離開閉され得るようにすることが提案されている。
【０００４】
また、前記の装置から変形され、もっと多くの錠剤カセットを配列しようと、図４でのように、本体の後面に形成されるスライディング設置台を左右に並べて複数配列し、スライディング設置台の前面には開閉設置台を設置し、各スライディング設置台には両側面に錠剤カセット配列板を設置して、ここに錠剤カセットが装着されるようにし、前記スライディング設置台に装着された錠剤カセットを交換する時は、各スライディング設置台を本体の前面に引出して作業するようにする引出型錠剤自動分配包装装置が提案されたことがある。
【０００５】
前記のような錠剤自動分配包装装置等は、各々の錠剤カセット１０２から錠剤が排出されるにおいて、前記錠剤が錠剤排出通路１０６を介して包装装置１０８に流入される過程で、前記錠剤排出通路１０６の壁面にぶつかりながら落下することになり、このような衝突によって錠剤から微細なかけらまたは粉塵などが発生して錠剤排出通路１０６の壁面に付くことになり、このような微細なかけらや粉塵が錠剤排出通路１０６の壁面に累積された状態で錠剤が排出されると、その錠剤は前記微細なかけらや粉塵などがついて汚染される場合が発生し、このような汚染された錠剤を服用することになると、患者に深刻な副作用が発生する余地が生じる。
【０００６】
従って、前記のような錠剤自動分配包装装置は、人を治療する目的に使用する錠剤を処理する装置であることを考慮して、前記錠剤排出通路１０６を周期的に掃除することによって、安全性を確保する必要性がある。
【０００７】
そこで、前記で記述した特許文献１の“錠剤自動分配装置の錠剤カセット配列設置台構造”では、錠剤カセット配列板１１４が一側に設置され、錠剤カセット１０２が配列設置される固定設置台１０４の場合は、本体１００の背面に形成された開閉手段１１６を分離した状態で錠剤排出通路１０６に解放され掃除が可能になっており、本体１００の正面両側に設置される開閉設置台１１２の場合は、錠剤案内通路手段を中心に前面部開閉設置台１１０と背面部開閉設置台１１０とが分離開閉され得るようにすることによって、錠剤排出通路１０６の掃除が可能に構成されている。
【特許文献１】大韓民国実用新案登録第０２９７０４７号
【発明の開示】
【発明が解決しようとする課題】
【０００８】
しかし、前記従来の構成において、引出型錠剤自動分配包装装置に設置されるスライディング設置台の場合、前記実用新案登録“第０２９７０４７号”の開閉設置台のように、前面部開閉設置台１１０aと背面部開閉設置台１１０ｂにと分離して開閉されるようにしたり、固定設置台１０４の場合、本体１００の背面に形成された開閉手段１１６のように、掃除のために分離できるようにする手段を設けたりするのが、大変難しい構造なので、錠剤カセット配列板の内側に形成されている錠剤排出通路の掃除が容易でなく、また内部の維持補修が難しいという問題点がある。
【０００９】
つまり、従来の引出型錠剤分配包装装置は、掃除や維持補修をする場合、本体の前面上に各スライディング設置台を引出した後、錠剤カセット配列板に装着された錠剤カセットをいちいち取り除き、錠剤カセット配列板を分解して取り外した後作業しなければならないのだが、錠剤カセット配列板の大きさが大変大きく、金属材質から成るので、その荷重により作業者一人では前記錠剤カセット配列板を分離するのが大変難しいだけでなく、前記錠剤カセット配列板が、スライディング設置台に丈夫に固定させるために、その締結結合構造が複雑になっているので、このように結合固定されている錠剤カセット配列板を分解および再組立するのに多大なる作業時間が所要されるという問題点がある。
【００１０】
本発明は、前記で記述したように、錠剤カセットを装着する錠剤カセット配列板の内部に構成される錠剤排出通路を掃除したり、維持補修したりするのが容易でない従来の問題点を解決するために案出されたもので、設置台に、その背面をお互い向かい合わせて設置される一対の錠剤カセット配列板の中、一方の錠剤カセット配列板を複数に区画し、その区画された各錠剤カセット配列板を個別的に着脱され得るようにすることによって、錠剤カセット配列板の背面上に形成される錠剤排出通路を簡単に解放できる錠剤自動分配包装装置を提供することをその目的とする。
【００１１】
また、錠剤カセット配列板を個別的に分離することによって、錠剤カセット配列板の荷重を減少させて、錠剤カセットが装着された状態でも分離が可能になるので、掃除作業時間を短縮させることができると同時に、掃除を随時容易にできるようになるので、錠剤排出通路の壁面に錠剤の微細なかけらまたは粉塵などが累積されるのを未然に防止して、錠剤が汚染されることを遮断することができ、装置に対する信頼度を向上させることのできる錠剤自動分配包装装置を提供することをその目的とする。
【００１２】
また、前記錠剤カセット配列板の背面部側に設置されている内部装置を補修維持管理するのに必要な作業時間を画期的に短縮させることによって、装置管理の効率性を増大させることのできる錠剤自動分配包装装置を提供することをその目的とする。
【課題を解決するための手段】
【００１３】
本発明は、前記の目的を達成するための錠剤自動分配包装装置の配列板構造に関するもので、より詳細には、各自異なる錠剤を内装する錠剤カセットが配列設置される錠剤カセット受け台が前面に形成され、背面には錠剤カセットの各垂直配列ラインに沿って錠剤カセットから排出される錠剤を包装装置に案内する錠剤排出部の形成された錠剤カセット配列板を、前記錠剤排出部の形成された背面がお互い当接して錠剤排出通路を形成するように成った一対の錠剤カセット配列板から構成される設置台を有する錠剤自動分配包装装置において、前記一対の錠剤カセット配列板の中、一方の錠剤カセット配列板は、各設置台に結合固定されるのだが、もう一方の錠剤カセット配列板と締結結合することのできる締結手段を具備し、前記もう一方の錠剤カセット配列板は、縦方向に多数区画され、区画された錠剤カセット配列板ごとに締結手段を具備して、設置台に結合固定されている前記一方の錠剤カセット配列板に具備された締結手段と各々個別的に締結され結合されることによって、前記区画された錠剤カセット配列板が個別的に着脱されるようにして、錠剤排出通路の内部を解放させることができるようにしたことを特徴とする。
【００１４】
また、前記一側錠剤カセット配列板の背面上部には雌連結具が形成され、区画された他側錠剤カセット配列板の背面上部には雄連結具が形成されて、前記雌連結具と雄連結具がワンタッチ方式で結合または分解される上部締結手段が更に具備されたことを特徴とする。
【発明の効果】
【００１５】
以上で見たように、本発明の錠剤自動分配包装装置は、錠剤カセットが両側面に配列設置される配列板を複数に区画し、区画された各配列板を個別的に簡単に着脱することができるようにすることによって、配列板の背面に形成された錠剤排出通路を解放して、掃除および補修維持管理するのに必要な作業時間を著しく減少させるなどの、装置管理の効率性を大きく向上させることができる。
【００１６】
また、区画された錠剤カセット配列板を個別的に分離するので、錠剤カセット配列板の荷重を減少させ、錠剤カセットが装着された状態でも分離が可能になる。
【００１７】
また、錠剤排出通路の掃除が大変容易に成されることによって、錠剤排出通路の壁面に錠剤の微細なかけら、または粉塵などが累積されるのを防止し、錠剤が汚染されるのを遮断することによって、装置に対する信頼度を向上させることのできる顕著な効果を案出することができるのである。
【発明を実施するための最良の形態】
【００１８】
以上のような本発明の特定的な構成を添付の図面を参照に説明すると次の通りである。
【００１９】
各自異なる錠剤を内装する錠剤カセット３が設置される錠剤カセット受け台５が一方面に形成され、反対面には錠剤カセット３の各垂直配列ラインに沿って錠剤カセット３から排出される錠剤を包装装置部７に案内する錠剤排出部９a，９bが各々形成されている一対の錠剤カセット配列板１３a，１３bを前記反対面がお互い当接するように結合して、錠剤排出部９a，９bが長い溝筒形の錠剤排出通路１１を形成するようにした設置台１５a，１５bに構成される錠剤自動分配包装装置において、前記一対の錠剤カセット配列板の中、一方の錠剤カセット配列板１３aは、各設置台１５a，１５bに結合固定されるのだが、もう一方の錠剤カセット配列板１３bと締結結合されることのできる締結手段１７aを具備し、前記もう一方の錠剤カセット配列板１３bは、縦方向に多数区画され、区画された錠剤カセット配列板１３b１，１３b２，１３b３ごとに締結手段１７aを具備し、設置台に結合固定されている前記一方の錠剤カセット配列板１３aに具備された締結手段１７aと各々個別的に締結結合され、掃除や補修時に前記錠剤カセット配列板１３b１，１３b２，１３b３を個別的に着脱することによって、錠剤排出通路１１の内部を解放させることのできる構成を有する。
【００２０】
以下、本発明の構成を、引出型錠剤自動分配包装装置を一実施例にして説明することにする。
【００２１】
まず、図２乃至図４に示されているように、本発明の引出型錠剤自動分配包装装置の構成を見ると、錠剤カセット３を装着する錠剤カセット配列板１３a，１３bの裏面がお互い当接して形成されるスライディング設置台１５aが多数構成され、各スライディング設置台１５aは、スイッチ４０を断続して通常の駆動器具を駆動することによって、本体１の前面上にスライディング引出できるように構成される。
【００２２】
そして、前記スライディング設置台１５aの前側、つまり本体１の前面上にはヒンジ結合により本体１から開閉できる結合構造の開閉設置台１５が構成される。
【００２３】
ここで、前記開閉設置台１５bの場合は、もっと多い錠剤カセットを装着するために、スライディング設置台１５aと同じく錠剤カセット配列板１３a，１３bを前後両面に結合構成することができる。
【００２４】
そして、スライディング設置台１５aと開閉設置台１５bに結合される錠剤カセット配列板１３a，１３bの構造は、正面上に錠剤カセット受け台５が一体に配列設置され、背面上には錠剤カセット３の垂直配列ラインと並んで錠剤排出部９a，９bが形成される。
【００２５】
錠剤排出部９a，９bは、錠剤カセット配列板１３a，１３bの後面に突出形成された接面部２１により一方の面が解放された“⊃”形断面の長い溝の形状から成る。
【００２６】
前記錠剤排出部９a，９bには錠剤カセット３から排出される錠剤を排出するための錠剤排出口１９が各々形成される。
【００２７】
各設置台１５a，１５bは、前記のように一対の錠剤カセット配列板１３a，１３bの背面上に形成される錠剤排出部９a，９bがお互い向かい合うようにして結合されることによって、長い溝筒形の錠剤排出通路１１が構成され得るように設置されるのだが、一方の錠剤カセット配列板１３aを各設置台１５a，１５bに一体に結合固定した後、もう一方の錠剤カセット配列板１３bは、縦方向に多数区画し、区画された錠剤カセット配列板１３b１，１３b２，１３b３を先に予め各設置台１５a，１５bに一体に結合固定した錠剤カセット配列板１３aに個別的に結合する。
【００２８】
前記一対の錠剤カセット配列板１３a，１３bを結合する手段として、設置台に一体に固定された錠剤カセット配列板１３aと、区画された錠剤カセット配列板とに締結手段１７aが各々設けられるのだが、前記固定された錠剤カセット配列板１３aに具備される締結手段１７aは、固定設置されるボルトで構成され、区画された錠剤カセット配列板１３b１，１３b２，１３b３に具備される締結手段１７aは、前記ボルトとネジ結合式に着脱させることができるナットから成る。
【００２９】
つまり、固定された錠剤カセット配列板１３aに具備された締結手段１７aであるボルトは、背面上に形成された錠剤排出部９a，９bの接面部２１を貫通して固定設置され、区画された錠剤カセット配列板１３b１，１３b２，１３b３に具備された締結手段１７aであるナットは、コインなどで簡単に締結および分離できるように頭部に溝が形成されているものを使用し、前記ボルトとナットが一対で締結手段１７aを構成することになる。
【００３０】
また、前記締結手段１７aは、前記区画された錠剤カセット配列板１３b１，１３b２，１３b３ごとに上部と下部に適当な間隔を置いて２~３個程度締結するのが好ましい。
【００３１】
一方、上記とは反対に、固定された錠剤カセット配列板１３aに固定設置される締結手段１７aをナットで構成し、区画された錠剤カセット配列板１３b１，１３b２，１３b３に具備された締結手段１７aをボルトで構成して、前記ボルトを締結および分離してもよい。
【００３２】
そして、区画された錠剤カセット配列板１３b１，１３b２，１３b３に具備された締結手段１７a，つまりナットの一側にはストッパー２３を具備し、前記区画された錠剤カセット配列板１３b１、１３b２，１３b３を固定された錠剤カセット配列板１３aから分離する場合、ナットのストッパー２３が錠剤カセット配列板１３b１，１３b２，１３b３にかかるようにすることによって、ナットが錠剤カセット配列板１３b１，１３b２，１３b３から完全に離脱されることを防止し、紛失される恐れがないようにする。
【００３３】
本発明では、前記締結手段１７aとしてボルトとナットを使用したが、これ以外にも、下記で説明するワンタッチ方式の上部締結手段１７bのように、クリップ式に着脱する締結手段や、その他周知慣用のいろいろな締結手段を利用することもできるという事実は自明である。
【００３４】
また、図６に図示しているように、一側の錠剤カセット配列板１３aの背面上部には雌連結具１７b１が具備され、前記区画された錠剤カセット配列板１３b１，１３b２，１３b３の背面上部には雄連結具１７b２を具備し、前記雌連結具１７b１に雄連結具１７b２を押し込むと雌連結具１７b１が自体の弾性により若干広がって雄連結具１７b２を受容するようになるワンタッチ方式の上部締結手段１７bが具備され、前記ワンタッチ方式の上部締結手段１７bは、公知となって実施されているいろいろな締結手段を適用してもよい。
【００３５】
前記のように、区画された錠剤カセット配列板１３b１，１３b２，１３b３が各設置台１５a，１５bに結合固定された錠剤カセット配列板１３aと結合されると、錠剤カセット３から一回分ずつ処方された錠剤が、錠剤カセット受け台５の通孔５aを介して各錠剤カセット配列板１３a，１３bの背面上に形成された錠剤排出口１９から排出され、錠剤排出通路１１に沿って落下した後、ホッパーを介して包装装置７に案内される。
【００３６】
以下では、前記のように構成された本発明の錠剤自動分配包装装置の配列板構造の作用を説明することにする。
【００３７】
まず、本発明の錠剤自動分配包装装置を作動させると、各々の錠剤カセット３から錠剤が排出され、前記錠剤排出通路１１を介して包装装置７に流入される過程で、前記排出された錠剤は、錠剤排出通路１１の壁面に幾度かぶつかりながら落下することになるのだが、このような衝突によって錠剤から微細なかけらが落ちたり、または粉塵などが発生したりし、これらが錠剤排出通路１１壁面に付着される現象が生じ、錠剤の落下が繰り返されると、前記錠剤排出通路１１壁面は各種錠剤の微細なかけらと粉塵が累積され深刻に汚染され、掃除をする必要が生じるので、錠剤カセット配列板１３b１、１３b２，１３b３を分離して前記錠剤排出通路１１壁面の掃除作業をすることになる。
【００３８】
また、本発明の錠剤排出のための制御信号を各々の錠剤カセットに伝達するための各種電気配線、および制御装置が、前記接面部２１内部およびその他の空いた空間に設置されるので、この部分の補修維持のためにも錠剤カセット配列板１３b１，１３b２，１３b３を分離する必要がある。
【００３９】
錠剤カセット配列板１３b１、１３b２，１３b３を分離する作業は次のように成される。
【００４０】
まず、図４で示されているように、各々のスライディング設置台１５aの側面に形成されたスイッチ４０を押すと、公知の駆動装置によりスライディング設置台１５aが本体１の前面にスライディングして引出され、引出された後は掃除または補修維持しようとする部分の区画された錠剤カセット配列板１３b１，１３b２，１３b３の締結手段１７a，つまりナットを、コインなどを利用して簡単に解くことになる。
【００４１】
このように、締結手段１７aを解いた時は、締結手段１７aの一側に形成されたストッパー２３によって区画された錠剤カセット配列板１３b１，１３b２，１３b３から完全に離脱されず、前記のように締結手段１７aを解いたとしても、錠剤カセット配列板１３b１，１３b２，１３b３は背面上部に具備された上部締結手段１７bによって、ずっとぶら下がっている状態を維持することになるのだが、これは前記締結手段１７aを解く間、作業者が別途に区画された錠剤カセット配列板１３b１，１３b２，１３b３を支持していないと、区画された錠剤カセット配列板１３b１，１３b２，１３b３が急に床に落ちて衝突し、砕ける事故が起こる恐れがあるためである。
【００４２】
上部締結手段１７bによってずっとぶら下がっている状態の錠剤カセット配列板１３b１，１３b２，１３b３を分離しようという場合、手動で軽く引っ張るだけで、固定されている錠剤カセット配列板１３aの背面に具備された雌連結具１７b１が弾性により広がりながら、区画された錠剤カセット配列板１３b１，１３b２，１３b３の背面上部に具備され縦連結具１７b２が簡単にワンタッチ方式で分離され、前記各設置台１５a，１５bに結合固定された一側の錠剤カセット配列板１３aと、区画された錠剤カセット配列板１３b１，１３b２，１３b３の錠剤排出通路１１が、一方の面が解放された“⊃”形断面の錠剤排出部９a，９bとして外部に露わになることになる。
【００４３】
このように、錠剤カセット配列板１３b１，１３b２，１３b３を適切な大きさに区画して個別的に分離することができるので、錠剤カセット３が装着された状態でも荷重があまり大きくなく、従って錠剤カセット３をいちいち分離しない状態で、前記錠剤カセット配列板１３b１，１３b２，１３b３を作業者が簡単に分離することができ、特に前記締結手段１７aと上部締結手段１７bは、その結合および分離作業がコインを利用したり、手で押し込んだり、引っ張る、ワンタッチ方式で成されるので、その作業が大変簡便である。
【００４４】
また、掃除や維持補修作業が終わった後、分離された錠剤カセット配列板１３b１，１３b２，１３b３を結合する時は、上部締結手段１７bの雌連結具１７b１と雄連結具１７b２とを１次的に結合して、錠剤カセット配列板１３b１，１３b２，１３b３をぶら下がった状態になるようにし、その後はコインなどを使用して締結手段１７aを２次的に締結することによって、丈夫に結合する。
【００４５】
従って、本発明は、錠剤自動分配包装装置の配列板の構造を、区画された各錠剤カセット配列板１３b１，１３b２，１３b３が個別的に着脱され得るように形成することによって、錠剤カセット配列板１３a，１３bの背面に形成される錠剤排出通路１１を解放して、掃除が容易であり、各々の錠剤カセット配列板１３b１、１３b２，１３b３は荷重が大きくなくて、錠剤カセット３が装着された状態でも分離が可能な有用な発明である。
【００４６】
前記で記述されているように、本発明の構成および作用効果を、引出型錠剤自動分配包装装置を一実施例にして説明したが、これに限定されるものではなく、錠剤カセット配列板が両側面に形成され、錠剤排出通路がその内部に構成されるすべての錠剤自動分配包装装置なら、包括的に適用可能である。
【００４７】
本発明は、上述の特定の好ましい実施例に限定されず、請求範囲で請求する本発明の要旨を脱することなく、当該本発明が属する技術分野で、通常の知識を有したものなら誰でも多様な変形実施が可能であることは勿論、このような変形は請求範囲記載の範囲内に含まれることになる。
【図面の簡単な説明】
【００４８】
【図１】図１aは、従来の錠剤自動分配装置の錠剤カセット配列設置台構造を示した概略的な斜視図、  図１bは、従来の錠剤自動分配装置の錠剤カセット配列設置台の構造を示した側面図である。
【図２】スライドタイプの錠剤自動分配包装装置の開閉設置台に本発明が適用された状態を示した正面図である。
【図３】スライドタイプの錠剤自動分配包装装置のスライディング設置台に本発明が適用された状態を示した側面図である。
【図４】本発明が適用されたスライディング設置台が引出された状態を示した平面図である。
【図５】スライディング設置台に結合される錠剤カセット配列板の結合状態を示した側面図である。
【図６】区画された配列板が解放された状態を示した概略的な要部斜視図である。
【符号の説明】
【００４９】
１：本体
３：錠剤カセット
５：錠剤カセット受け台
５：通孔
７：包装装置部
９：錠剤排出部
１１：錠剤排出通路
１３（１３a，１３b）：錠剤カセット配列板
１３ｂ（１３b１，１３b２，１３b３）：区画された錠剤カセット配列板
１５a：スライディング設置台
１５b：開閉設置台
１７a：締結手段
１７b：上部締結手段
１７b１：雌連結具
１７b２：雄連結具
１９：錠剤排出口
２１：接面部
２３：ストッパー
【図１】
0003718514.tif 000002
【図２】
0003718514.tif 000003
【図３】
0003718514.tif 000004
【図４】
0003718514.tif 000005
【図５】
0003718514.tif 000006
【図６】
0003718514.tif 000007